【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
基準クロックを生成する基準クロック生成手段と、
電荷を蓄積する第１の電荷蓄積手段と、
電荷を蓄積する第２の電荷蓄積手段と、
入力される交流電圧から当該交流電圧の振幅に応じて電流値が変化する第１の電流を生成する第１の電流生成手段と、
一定の電流値を有する第２の電流を生成する第２の電流生成手段と、
前記基準クロックのハイレベルの半周期に、前記第１の電荷蓄積手段の電圧を第１の電圧から前記交流電圧の振幅に応じた第２の電圧に変化させるために、そのハイレベルの期間だけ前記第１の電荷蓄積手段に前記第１の電流を供給する第１の電流供給制御手段と、
前記第１の電流を供給した半周期に続くローレベルの半周期に、前記第１の電荷蓄積手段に前記第２の電流を前記第１の電流とは逆方向に、当該第１の電荷蓄積手段の電圧が前記第２の電圧から当該第２の電圧と前記第１の電圧の間にある所定の閾値電圧に達した後に所定の時間が経過するまで供給する第２の電流供給制御手段と、
前記第１の電流を供給した半周期に続くローレベルの半周期に、前記第１の電荷蓄積手段の電圧が前記第２の電圧から前記閾値電圧に変化するまでの時間をパルス幅とするパルス信号を生成する第１のパルス信号生成手段と、
前記基準クロックのローレベルの半周期に、前記第２の電荷蓄積手段の電圧を前記第１の電圧から前記第２の電圧に変化させるために、そのローレベルの期間だけ前記第２の電荷蓄積手段に前記第１の電流を供給する第３の電流供給制御手段と、
前記第１の電流を供給した半周期に続くハイレベルの半周期に、前記第２の電荷蓄積手段に前記第２の電流を前記第１の電流とは逆方向に、当該第２の電荷蓄積手段の電圧が前記第２の電圧から前記閾値電圧に達した後に前記所定の時間が経過するまで供給する第４の電流供給制御手段と、
前記第１の電流を供給した半周期に続くハイレベルの半周期に、前記第２の電荷蓄積手段の電圧が前記第２の電圧から前記閾値電圧に変化するまでの時間をパルス幅とするパルス信号を生成する第２のパルス信号生成手段と、
前記第１のパルス信号生成手段で生成されるパルス信号と前記第２のパルス信号生成手段で生成されるパルス信号を合成してパルス幅変調信号を生成するパルス変調信号生成手段と、
を備えたパルス幅変調回路であって、
前記交流電圧の負側の振幅が所定のレベルを超えるときに、前記第１の電流生成手段で生成される第１の電流を、前記第１の電圧から所定の電圧に変化させる電流値を有する第３の電流に制限する電流制限手段を備えたことを特徴する、パルス幅変調回路。
【請求項２】
前記所定の電圧は、前記閾値電圧以上の電圧である、請求項１に記載のパルス幅変調回路。
【請求項３】
前記第１，第２の電荷蓄積手段は、前記第１の電流供給制御手段により前記第１の電流で放電され、前記第２の電流供給制御手段により前記第２の電流で充電されることを特徴とする、請求項１または２に記載のパルス幅変調回路。
【請求項４】
前記第１，第２の電荷蓄積手段は、前記第１の電流供給制御手段により前記第１の電流で充電され、前記第２の電流供給制御手段により前記第２の電流で放電されることを特徴とする、請求項１または２に記載のパルス幅変調回路。
【請求項５】
前記第１の電流生成手段は、オペアンプを用いた電圧−電流変換回路で構成され、
前記電流制限手段は、前記電圧−電流変換回路の出力端に接続され、当該電圧−電流変換回路から出力される電流に前記第３の電流を加算する補助電流供給回路と、前記交流電圧の負側の振幅が前記所定のレベルを超えると、前記電圧−電流変換回路を電気的に切り離すスイッチ回路とで構成されていることを特徴とする、請求項１〜４のいずれかに記載
のパルス幅変調回路。
【請求項６】
前記第１のパルス信号生成手段は、前記閾値電圧を論理レベルのスレッシュホールド電圧とし、前記基準クロックがハイレベルからローレベルに反転するタイミングを検出した信号が第１セット信号として入力され、前記第１の電荷蓄積手段の電圧が前記閾値電圧に達した信号が第１リセット信号として入力される第１のＲＳフリップフロップ回路で構成され、
前記第２のパルス信号生成手段は、前記閾値電圧を論理レベルのスレッシュホールド電圧とし、前記基準クロックがローレベルからハイレベルに反転するタイミングを検出した信号が第２セット信号として入力され、前記第２の電荷蓄積手段の電圧が前記閾値電圧に達した信号が第２リセット信号として入力される第２のＲＳフリップフロップ回路で構成されていることを特徴とする、請求項４または５に記載のパルス幅変調回路。
【請求項７】
請求項１ないし請求項６のいずれかに記載のパルス幅変調回路と、
所定の基準電源電圧を出力する電圧源と、
前記パルス幅変調回路から出力される変調信号に基づいて、前記電圧源から供給される前記基準電源電圧をスイッチングするスイッチング回路と、
を備えたことを特徴とする、スイッチングアンプ。
【手続補正２】
【補正対象書類名】明細書
【補正対象項目名】００３２
【補正方法】変更
【補正の内容】
【００３２】
本願発明の第１の側面によって提供されるパルス幅変調回路は、基準クロックを生成する基準クロック生成手段と、電荷を蓄積する第１の電荷蓄積手段と、電荷を蓄積する第２の電荷蓄積手段と、入力される交流電圧から当該交流電圧の振幅に応じて電流値が変化する第１の電流を生成する第１の電流生成手段と、一定の電流値を有する第２の電流を生成する第２の電流生成手段と、前記基準クロックのハイレベルの半周期に、前記第１の電荷蓄積手段の電圧を第１の電圧から前記交流電圧の振幅に応じた第２の電圧に変化させるために、そのハイレベルの期間だけ前記第１の電荷蓄積手段に前記第１の電流を供給する第１の電流供給制御手段と、前記第１の電流を供給した半周期に続くローレベルの半周期に、前記第１の電荷蓄積手段に前記第２の電流を前記第１の電流とは逆方向に、当該第１の電荷蓄積手段の電圧が前記第２の電圧から当該第２の電圧と前記第１の電圧の間にある所定の閾値電圧に達した後に所定の時間が経過するまで供給する第２の電流供給制御手段と、前記第１の電流を供給した半周期に続くローレベルの半周期に、前記第１の電荷蓄積手段の電圧が前記第２の電圧から前記閾値電圧に変化するまでの時間をパルス幅とするパルス信号を生成する第１のパルス信号生成手段と、前記基準クロックのローレベルの半周期に、前記第２の電荷蓄積手段の電圧を前記第１の電圧から前記第２の電圧に変化させるために、そのローレベルの期間だけ前記第２の電荷蓄積手段に前記第１の電流を供給する第３の電流供給制御手段と、前記第１の電流を供給した半周期に続くハイレベルの半周期に、前記第２の電荷蓄積手段に前記第２の電流を前記第１の電流とは逆方向に、当該第２の電荷蓄積手段の電圧が前記第２の電圧から前記閾値電圧に達した後に前記所定の時間が経過するまで供給する第４の電流供給制御手段と、前記第１の電流を供給した半周期に続くハイレベルの半周期に、前記第２の電荷蓄積手段の電圧が前記第２の電圧から前記閾値電圧に変化するまでの時間をパルス幅とするパルス信号を生成する第２のパルス信号生成手段と、前記第１のパルス信号生成手段で生成されるパルス信号と前記第２のパルス信号生成手段で生成されるパルス信号を合成してパルス幅変調信号を生成するパルス変調信号生成手段とを備えたパルス幅変調回路であって、前記交流電圧の負側の振幅が所定のレベルを超えるときに、前記第１の電流生成手段で生成される第１の電流を、前記第１の電圧から所定の電圧に変化させる電流値を有する第３の電流に制限する電流制限手段を備えたことを特徴としている（請求項１）。好ましくは、前記所定の電圧は、前記閾値電圧以上の電圧であるとよい（請求項２）。
【手続補正３】
【補正対象書類名】明細書
【補正対象項目名】００４１
【補正方法】変更
【補正の内容】
【００４１】
本願発明のパルス幅変調回路において、前記第１，第２の電荷蓄積手段は、前記第１の電流供給制御手段により前記第１の電流で放電され、前記第２の電流供給制御手段により前記第２の電流で充電されるとよい（請求項３）。
【手続補正４】
【補正対象書類名】明細書
【補正対象項目名】００４２
【補正方法】変更
【補正の内容】
【００４２】
本願発明のパルス幅変調回路において、前記第１，第２の電荷蓄積手段は、前記第１の電流供給制御手段により前記第１の電流で充電され、前記第２の電流供給制御手段により前記第２の電流で放電されるとよい（請求項４）。
【手続補正５】
【補正対象書類名】明細書
【補正対象項目名】００４３
【補正方法】変更
【補正の内容】
【００４３】
本願発明のパルス幅変調回路において、前記第１の電流生成手段は、オペアンプを用い
た電圧−電流変換回路で構成され、前記電流制限手段は、前記電圧−電流変換回路の出力端に接続され、当該電圧−電流変換回路から出力される電流に前記第３の電流を加算する補助電流供給回路と、前記交流電圧の負側の振幅が前記所定のレベルを超えると、前記電圧−電流変換回路を電気的に切り離すスイッチ回路とで構成するとよい（請求項５）。
【手続補正６】
【補正対象書類名】明細書
【補正対象項目名】００４４
【補正方法】変更
【補正の内容】
【００４４】
本願発明のパルス幅変調回路において、前記第１のパルス信号生成手段は、前記閾値電圧を論理レベルのスレッシュホールド電圧とし、前記基準クロックがハイレベルからローレベルに反転するタイミングを検出した信号が第１セット信号として入力され、前記第１の電荷蓄積手段の電圧が前記閾値電圧に達した信号が第１リセット信号として入力される第１のＲＳフリップフロップ回路で構成され、前記第２のパルス信号生成手段は、前記閾値電圧を論理レベルのスレッシュホールド電圧とし、前記基準クロックがローレベルからハイレベルに反転するタイミングを検出した信号が第２セット信号として入力され、前記第２の電荷蓄積手段の電圧が前記閾値電圧に達した信号が第２リセット信号として入力される第２のＲＳフリップフロップ回路で構成されるとよい（請求項６）。
【手続補正７】
【補正対象書類名】明細書
【補正対象項目名】００４５
【補正方法】変更
【補正の内容】
【００４５】
本願発明の第２の側面によって提供されるスイッチングアンプは、本願発明の第１の側面によって提供されるパルス幅変調回路と、所定の基準電源電圧を出力する電圧源と、前記パルス幅変調回路から出力される変調信号に基づいて、前記電圧源から供給される前記基準電源電圧をスイッチングするスイッチング回路と、を備えたことを特徴としている（請求項７）。